(57)【要約】【課題】最適なパラメータの決定が容易になり、画像処理された画像を迅速に表示することができるＸ線撮影装置を提供することを目的とする。【解決手段】Ｘ線画像上において関心領域を設定する。そして、入力された複数の画像処理パラメータを用いて、設定された関心領域のみに対して画像処理をそれぞれ行う。画像処理パラメータと同数の画像処理された関心領域の画像を画面上に並べて表示する。さらに、最適だと判断した画像処理パラメータを指定する。ユーザが見たい特定の部分を関心領域として設定することで、画像処理の高速化を行い、画像処理後の並列画像表示を迅速に行う。その結果、最適なパラメータの決定が容易になって、最適な画像処理パラメータを用いて、全画像領域に対して画像処理された画像を迅速に表示することができる。【選択図】図８
2018186889.tif 000002
【特許請求の範囲】
【請求項１】
Ｘ線画像による撮影を行うＸ線撮影装置であって、
複数の画像処理パラメータを入力するパラメータ入力手段と、
前記Ｘ線画像上において関心領域を設定する関心領域設定手段と、
入力された複数の前記画像処理パラメータを用いて、設定された前記関心領域のみに対して画像処理をそれぞれ行う第１画像処理手段と、
当該第１画像処理手段による前記画像処理パラメータで画像処理された関心領域の各画像を画面上に対比可能に並べて表示する第１表示制御手段と、
最適だと判断した画像処理パラメータを指定するパラメータ指定手段と、
指定された最適な画像処理パラメータを用いて、全画像領域に対して画像処理を行う第２画像処理手段と、
当該第２画像処理手段による前記画像処理パラメータで画像処理された全画像領域の画像を画面上に表示する第２表示制御手段と
を備える、
Ｘ線撮影装置。
【請求項２】
請求項１に記載のＸ線撮影装置において、
前記第１表示制御手段は、前記画像処理パラメータと同数の画像処理された関心領域の画像を画面上に並べて表示する、
Ｘ線撮影装置。
【請求項３】
請求項２に記載のＸ線撮影装置において、
前記第１表示制御手段は、前記画像処理パラメータと同数の画像処理された関心領域の画像のうち、指定された画像を拡大表示する、
Ｘ線撮影装置。
【請求項４】
請求項１に記載のＸ線撮影装置において、
前記第１表示制御手段は、（ａ）前記画像処理パラメータで画像処理された関心領域の２つの画像を画面上に対比可能に並べて表示し、（ｂ）最適だと判断した関心領域の画像のみを残して表示し、（ｃ）未だに表示されていない関心領域の画像と当該最適だと判断した関心領域の画像とを画面上に対比可能に並べて表示する、一連の表示制御を繰り返し行う、
Ｘ線撮影装置。
【請求項５】
請求項１に記載のＸ線撮影装置において、
前記画像処理パラメータの種類を２つ選択する種類選択手段を備え、
前記第１表示制御手段は、選択された種類のうち、一方の画像処理パラメータで画像処理された関心領域の各画像を画面上に横に並べて表示し、他方の画像処理パラメータで画像処理された関心領域の各画像を画面上に縦に並べて表示することで、選択された種類の画像処理パラメータで画像処理された関心領域の各画像を画面上に２次元状に並べて表示する、
Ｘ線撮影装置。
【請求項６】
請求項１から請求項５のいずれかに記載のＸ線撮影装置において、
前記パラメータ入力手段は、複数の前記画像処理パラメータの値の範囲を設定する範囲設定部を備え、
当該範囲を設定することで、設定された範囲に含まれる値を有する複数の前記画像処理パラメータを入力する、
Ｘ線撮影装置。
【請求項７】
請求項１から請求項５のいずれかに記載のＸ線撮影装置において、
前記パラメータ入力手段は、
互いに隣接する２つの前記画像処理パラメータの値のレンジ幅をｒとしたときに、レンジ幅ｒを設定するレンジ幅設定部と、
起点となる前記画像処理パラメータの値をａ１としたときに、起点となる値ａ１を設定する起点設定部と、
画像処理パラメータの個数をｎ（ｎは２以上の自然数）としたときに、個数ｎを設定する個数設定部と
を備え、
前記起点となる値ａ１から昇順または降順に個々の前記画像処理パラメータの値をａ１，ａ２，…ａｎ-１，ａｎとしたときに、昇順時にはａｎ＝ａ１＋（ｎ−１）×ｒを満たし，降順時にはａｎ＝ａ１−（ｎ−１）×ｒを満たすときにおいて、前記個数ｎ，前記レンジ幅ｒおよび前記起点となる値ａ１を設定することで、ａ１，ａ２，…ａｎ-１，ａｎの値を有する個数ｎの前記画像処理パラメータを入力する、
Ｘ線撮影装置。
【請求項８】
請求項１から請求項７のいずれかに記載のＸ線撮影装置において、
入力された前記画像処理パラメータを、前記第１画像処理手段による当該画像処理パラメータを用いて画像処理された関心領域の画像に重畳する重畳手段を備える、
Ｘ線撮影装置。
【発明の詳細な説明】
【技術分野】
【０００１】
本発明は、Ｘ線画像による撮影を行うＸ線撮影装置に係り、特に、画像処理のための画像処理パラメータに関する。
【背景技術】
【０００２】
画像処理パラメータとしては、例えば、Ｘ線画像のコントラスト，モニタに表示するＸ線画像の明度，Ｘ線画像のエッジ強調フィルタ係数，Ｘ線画像の平滑化フィルタ係数などがある。Ｘ線撮影装置は画像処理コンソールにおいて、Ｘ線撮影により得られたＸ線画像に対して画像処理を行う。その際、画像処理コンソールで画像処理パラメータを入力し、入力された画像処理パラメータを用いて画像処理を行う。画像処理パラメータが最適であるか否かが判らないときには、画像処理パラメータを変えながら画像処理を行い、画像処理パラメータを用いて画像処理された画像をモニタの画面上に表示する。そして、所望の画像（撮影画像）が表示されたら、そのときの画像処理パラメータを最適であると決定する。
【０００３】
したがって、複数の画像処理パラメータをその都度に入力して画像処理後の画像を表示すると、時間がかかる画像処理の場合には最適なパラメータの決定までのトータルの時間がかかる。また、前回に入力された画像処理パラメータを用いて画像処理された画像から切り替わって、今回に入力された画像処理パラメータを用いて画像処理された最新の画像がモニタの画面上に表示される。したがって、過去の画像処理パラメータによる表示画像が判らなくなる。
【０００４】
また、最新に入力された画像処理パラメータが最適であるとは限らない。その場合には、過去に入力された最適な画像処理パラメータを再度入力し直して、そのときに画像処理された画像を表示して確認しなければならない。しかも、過去に入力された最適な画像処理パラメータや、そのときに画像処理された画像をユーザが覚えているとは限らない。その場合には、画像処理パラメータを変えながら入力して、各々の画像を表示して確認する作業を最初から行わなければならない。
【０００５】
さらに、画像処理パラメータは上述したように多種類に存在し、１種類の画像処理パラメータが最適であったとしても、所望の画像が表示されるとは限らない。複数種類の最適なパラメータの組み合わせで所望の画像が表示される。その結果、たとえ時間がかからない画像処理であったとしても、複数種類の最適なパラメータの組み合わせの決定までのトータルの時間がかかる。
【０００６】
そこで、画像処理パラメータを変えて各々の画像処理後の画像をその都度保存し、画像処理後の画像を一斉に並列表示（「マルチビュー」と呼称）する装置がある（例えば、特許文献１参照）。また、画像処理パラメータが、例えばＸ線検出器に平行な断面画像の位置のような再構成処理パラメータである場合には、例えば断面画像の位置に対応したスライドバーによる入力操作に応じて断面画像を切り替え表示する装置がある（例えば、特許文献２参照）。
【先行技術文献】
【特許文献】
【０００７】
【特許文献１】特開２０１５−１９８８３３号公報
【特許文献２】特開２０１５−３２２号公報
【発明の概要】
【発明が解決しようとする課題】
【０００８】
しかしながら、特許文献１：特開２０１５−１９８８３３号公報のようなマルチビュー機能の構成を有した装置の場合でも、最適なパラメータの決定に時間がかかるという問題がある。画像全体の画像処理自体に時間がかかると、画像処理後の画像を一斉に並列表示したとしても、最適なパラメータの決定に時間がかかるという問題がある。
【０００９】
本発明は、このような事情に鑑みてなされたものであって、最適なパラメータの決定が容易になり、画像処理された画像を迅速に表示することができるＸ線撮影装置を提供することを目的とする。
【課題を解決するための手段】
【００１０】
本発明は、このような目的を達成するために、次のような構成をとる。
すなわち、本発明に係るＸ線撮影装置は、Ｘ線画像による撮影を行うＸ線撮影装置であって、複数の画像処理パラメータを入力するパラメータ入力手段と、前記Ｘ線画像上において関心領域を設定する関心領域設定手段と、入力された複数の前記画像処理パラメータを用いて、設定された前記関心領域のみに対して画像処理をそれぞれ行う第１画像処理手段と、当該第１画像処理手段による前記画像処理パラメータで画像処理された関心領域の各画像を画面上に対比可能に並べて表示する第１表示制御手段と、最適だと判断した画像処理パラメータを指定するパラメータ指定手段と、指定された最適な画像処理パラメータを用いて、全画像領域に対して画像処理を行う第２画像処理手段と、当該第２画像処理手段による前記画像処理パラメータで画像処理された全画像領域の画像を画面上に表示する第２表示制御手段とを備えるものである。
【００１１】
［作用・効果］本発明に係るＸ線撮影装置によれば、複数の画像処理パラメータを入力するパラメータ入力手段の他に、Ｘ線画像上において関心領域を設定する関心領域設定手段を備える。そして、入力された複数の画像処理パラメータを用いて、設定された関心領域のみに対して画像処理をそれぞれ行う第１画像処理手段と、当該第１画像処理手段による画像処理パラメータで画像処理された関心領域の各画像を画面上に対比可能に並べて表示する第１表示制御手段とを備える。さらに、最適だと判断した画像処理パラメータを指定するパラメータ指定手段と、指定された最適な画像処理パラメータを用いて、全画像領域に対して画像処理を行う第２画像処理手段と、当該第２画像処理手段による画像処理パラメータで画像処理された全画像領域の画像を画面上に表示する第２表示制御手段とを備える。画像全体（全画像領域）の画像処理と比較すると、設定された関心領域のみに対する画像処理では、処理時間が低減する。それに伴って、画像全体（全画像領域）の画像処理と比較すると、設定された関心領域のみに対する画像処理では、画像処理後の並列画像表示までの時間も低減する。したがって、ユーザが見たい特定の部分を関心領域(ROI: region of interest)として設定することで、画像処理の高速化を行い、画像処理後の並列画像表示を迅速に行う。その結果、パラメータ指定手段による最適なパラメータの決定が容易になって、最適な画像処理パラメータを用いて、全画像領域に対して画像処理された画像を迅速に表示することができる。
【００１２】
第１画像処理手段による画像処理パラメータで画像処理された関心領域の各画像を画面上に対比可能に並べて表示する一例として下記のようなものがある。第１表示制御手段は、画像処理パラメータと同数の画像処理された関心領域の画像を画面上に並べて表示する（第１の例）。第１の例の場合には、画像処理パラメータと同数の画像処理された関心領域の画像を画面上に並べて表示するので、１つの画面上で関心領域の画像を一覧して比較することができる。
【００１３】
なお、第１の例の場合には、表示された各画像はサイズが小さい。そこで、第１表示制御手段は、画像処理パラメータと同数の画像処理された関心領域の画像のうち、指定された画像を拡大表示するのが好ましい。拡大表示の態様としては特に限定されない。例えば、指定された画像を拡大表示する別ウィンドウを表示させてもよい。あるいは、指定された画像を拡大表示させてもよい。
【００１４】
第１画像処理手段による画像処理パラメータで画像処理された関心領域の各画像を画面上に対比可能に並べて表示する他の一例としては、下記のようなものでもよい。上述したように第１の例の場合には、表示された各画像はサイズが小さい。そこで、第１表示制御手段は、（ａ）画像処理パラメータで画像処理された関心領域の２つの画像を画面上に対比可能に並べて表示し、（ｂ）最適だと判断した関心領域の画像のみを残して表示し、（ｃ）未だに表示されていない関心領域の画像と当該最適だと判断した関心領域の画像とを画面上に対比可能に並べて表示する、一連の表示制御を繰り返し行う（第２の例）。第２の例の場合には、画面上に表示される画像は２つのみであるので、その分だけサイズを大きくすることができる。そして、上述の一連の表示制御を繰り返し行うことで、最終的に表示される画像が、最適な画像処理パラメータで画像処理された画像となる。
【００１５】
第１画像処理手段による画像処理パラメータで画像処理された関心領域の各画像を画面上に対比可能に並べて表示する、さらなる他の一例としては、下記のようなものでもよい。画像処理パラメータの種類を２つ選択する種類選択手段を備える。そして、第１表示制御手段は、選択された種類のうち、一方の画像処理パラメータで画像処理された関心領域の各画像を画面上に横に並べて表示し、他方の画像処理パラメータで画像処理された関心領域の各画像を画面上に縦に並べて表示することで、選択された種類の画像処理パラメータで画像処理された関心領域の各画像を画面上に２次元状に並べて表示する（第３の例）。第３の例の場合には、選択された種類の画像処理パラメータで画像処理された関心領域の各画像を画面上に２次元状に並べて表示するので、２つの種類の画像処理パラメータの組み合わせから、最適な組み合わせとなる画像処理パラメータを、１つの画面上で一覧して決定することができる。
【００１６】
パラメータ入力手段の一例は、複数の画像処理パラメータの値の範囲を設定する範囲設定部を備える構成である。そして、当該範囲を設定することで、設定された範囲に含まれる値を有する複数の画像処理パラメータを入力する。
【００１７】
また、パラメータ入力手段の他の一例は、互いに隣接する２つの画像処理パラメータの値のレンジ幅をｒとしたときに、レンジ幅ｒを設定するレンジ幅設定部と、起点となる画像処理パラメータの値をａ１としたときに、起点となる値ａ１を設定する起点設定部と、画像処理パラメータの個数をｎ（ｎは２以上の自然数）としたときに、個数ｎを設定する個数設定部とを備える構成である。起点となる値ａ１から昇順または降順に個々の画像処理パラメータの値をａ１，ａ２，…ａｎ-１，ａｎとしたときに、昇順時にはａｎ＝ａ１＋（ｎ−１）×ｒを満たし，降順時にはａｎ＝ａ１−（ｎ−１）×ｒを満たすとする。そして、個数ｎ，レンジ幅ｒおよび起点となる値ａ１を設定することで、ａ１，ａ２，…ａｎ-１，ａｎの値を有する個数ｎの画像処理パラメータを入力する。
【００１８】
また、入力された画像処理パラメータを、第１画像処理手段による当該画像処理パラメータを用いて画像処理された関心領域の画像に重畳する重畳手段を備えるのが好ましい。ここで、画像処理パラメータなどに代表される付加情報を、当該付加情報を有するデータ（ここでは画像処理された画像）に重畳表示することは、「アノテーション(annotation)表示」とも呼ばれている。重畳表示（アノテーション表示）することにより、表示された関心領域の画像の画像処理に用いられた画像処理パラメータを把握することができる。
【発明の効果】
【００１９】
本発明に係るＸ線撮影装置によれば、複数の画像処理パラメータを入力するパラメータ入力手段の他に、Ｘ線画像上において関心領域を設定する関心領域設定手段を備える。そして、入力された複数の画像処理パラメータを用いて、設定された関心領域のみに対して画像処理をそれぞれ行う第１画像処理手段と、当該第１画像処理手段による画像処理パラメータで画像処理された関心領域の各画像を画面上に対比可能に並べて表示する第１表示制御手段とを備える。さらに、最適だと判断した画像処理パラメータを指定するパラメータ指定手段と、指定された最適な画像処理パラメータを用いて、全画像領域に対して画像処理を行う第２画像処理手段と、当該第２画像処理手段による画像処理パラメータで画像処理された全画像領域の画像を画面上に表示する第２表示制御手段とを備える。ユーザが見たい特定の部分を関心領域(ROI: region of interest)として設定することで、画像処理の高速化を行い、画像処理後の並列画像表示を迅速に行う。その結果、パラメータ指定手段による最適なパラメータの決定が容易になって、最適な画像処理パラメータを用いて、全画像領域に対して画像処理された画像を迅速に表示することができる。
【図面の簡単な説明】
【００２０】
【図１】実施例に係る移動型Ｘ線撮影装置の概略図である。
【図２】実施例に係る移動型Ｘ線撮影装置のブロック図である。
【図３】画像処理パラメータ設定画面の表示態様である。
【図４】画像処理パラメータ設定画面の表示態様である。
【図５】詳細画像処理画面の表示態様である。
【図６】詳細画像処理画面の表示態様である。
【図７】詳細画像処理画面の表示態様である。
【図８】マルチビュー画面の表示態様である。
【図９】マルチビュー画面のマルチビューエリアに表示された画像を拡大表示する態様である。
【図１０】マルチビュー画面のマルチビューエリアに表示された画像を拡大表示する態様である。
【図１１】図８とは別のマルチビュー画面の表示態様である。
【図１２】図８，図１１とは別のマルチビュー画面の表示態様である。
【図１３】複数の画像処理パラメータの値の範囲を設定する場合の態様である。
【実施例】
【００２１】
以下、図面を参照して本発明の実施例を説明する。
図１は、実施例に係る移動型Ｘ線撮影装置の概略図であり、図２は、実施例に係る移動型Ｘ線撮影装置のブロック図である。本実施例では、Ｘ線撮影装置として移動型Ｘ線撮影装置（回診車）を例に採って説明するとともに、Ｘ線画像として移動型Ｘ線撮影装置でＸ線撮影されたＸ線画像を例に採って説明する。
【００２２】
図１に示すように、本実施例に係る移動型Ｘ線撮影装置１は、Ｘ線管１１（図２も参照）と台車１２と支柱１３と支持アーム１４とコンソール１５（図２も参照）とモニタ１６（図２も参照）と操作ハンドル１７とを備えている。その他に、移動型Ｘ線撮影装置１は、バッテリ駆動するワイヤレスのフラットパネル型Ｘ線検出器（ＦＰＤ）（図示省略）を収納する収納棚（図示省略）を備えている。本実施例では、コンソール１５およびモニタ１６はタッチパネルモニタとして一体で構成されている。コンソール１５は、本発明におけるパラメータ入力手段，関心領域設定手段，パラメータ指定手段および種類選択手段に相当する。
【００２３】
その他に、図２に示すように移動型Ｘ線撮影装置１は、バッテリ２１と駆動モータ２２とＸ線発生器２３とパーソナルコンピューター（ＰＣ）２４とを備えている。パーソナルコンピューター（ＰＣ）２４は、上述したコンソール１５（図１も参照）の他に、中央演算処理装置（ＣＰＵ）やＧＰＵ(Graphics Processing Unit)などで構成された演算部２５を備えている。便宜上、図２では、コンソール１５およびモニタ１６（図１も参照）を別々の構成として図示しているが、上述したように、コンソール１５およびモニタ１６をタッチパネルモニタとして一体で構成している。演算部２５は、本発明における第１／第２画像処理手段，第１／第２表示制御手段および重畳手段に相当する。
【００２４】
図１の説明に戻って、台車１２は、台車本体１２ａと、台車本体１２ａの前方の底部に設けられた前輪１２ｂと、台車本体１２ａの後方の底部に設けられた後輪１２ｃとを備えている。台車本体１２ａには、上述したバッテリ２１（図２を参照）や駆動モータ２２（図２を参照）やＸ線発生器２３（図２を参照）などを搭載している。台車本体１２ａの後方には走行用の操作ハンドル（図示省略）を設け、ユーザが走行用の操作ハンドルを把持して押すことで走行方向に向かって台車１２を前方に移動させる。ユーザが走行用の操作ハンドルに対して左右の押す方向を変えることで台車１２の走行方向を自在に変えることが可能である。また、ユーザが走行用の操作ハンドルを把持して手前に引くことで台車１２を後方に移動させることも可能である。
【００２５】
台車本体１２ａに支柱１３が設けられている。支持アーム１４は、Ｘ線管１１を支持し、支柱１３に沿って上下に昇降移動するように構成されている。また、支柱１３は鉛直軸心周りに回転可能に構成されている。台車本体１２ａに対して鉛直軸心周りに支柱１３を回転させることで、支持アーム１４およびそれに支持されたＸ線管１１が水平面内に回転する。台車１２を移動させる場合には、支持アーム１４およびＸ線管１１が台車本体１２ａの後方に位置するように支柱１３を回転させる。台車１２の走行方向に向かって前方にベッドをつけてＸ線撮影を行う場合には、支持アーム１４およびＸ線管１１が前方に位置するように支柱１３を回転させる。台車１２の走行方向に向かって右側にベッドを横づけしてＸ線撮影を行う場合には、支持アーム１４およびＸ線管１１が右側に位置するように支柱１３を回転させる。台車１２の走行方向に向かって左側にベッドを横づけしてＸ線撮影を行う場合には、支持アーム１４およびＸ線管１１が左側に位置するように支柱１３を回転させる。なお、支持アーム１４は、水平方向に伸縮可能に構成されている。
【００２６】
操作ハンドル１７はＸ線管１１の下部（例えばコリメータ）の側方に設けられている。ユーザが操作ハンドル１７を把持してＸ線管１１とともに支持アーム１４を手動で昇降移動させるように操作ハンドル１７は構成されている。
【００２７】
図２に示すように、バッテリ２１は、駆動モータ２２やＸ線発生器２３やパーソナルコンピューター（ＰＣ）２４に電力を供給するように構成されている。駆動モータ２２は、台車１２（図１を参照）の移動や支柱１３（図１を参照）の鉛直軸心周りの回転や支持アーム１４（図１を参照）の昇降移動を支援するように構成されている。Ｘ線発生器２３は、Ｘ線管１１の管電圧や管電流を発生させる。
【００２８】
本実施例のようにコンソール１５（図１も参照）およびモニタ１６（図１も参照）がタッチパネルモニタとして一体で構成されている場合には、入力可能なテキストボックスを選択しているときには、コンソール１５としてスクリーンキーボードが表示される。コンソール１５は、複数の画像処理パラメータを入力する機能を有している。また、コンソール１５は、Ｘ線画像上において関心領域を設定する機能を有している。さらに、コンソール１５は、最適だと判断した画像処理パラメータを指定する機能を有し、画像処理パラメータの種類を２つ選択する機能も有している。コンソール１５やモニタ１６による画像処理パラメータ設定画面の機能については、図３〜図１３で後述する。
【００２９】
演算部２５は、入力された複数の画像処理パラメータを用いて、設定された関心領域のみに対して画像処理をそれぞれ行う機能を有している。また、演算部２５は、画像処理パラメータで画像処理された関心領域の各画像を画面上に対比可能に並べて表示する機能を有している。さらに、演算部２５は、指定された最適な画像処理パラメータを用いて、全画像領域に対して画像処理を行う機能を有し、画像処理パラメータで画像処理された全画像領域の画像を画面上に表示する機能を有し、入力された画像処理パラメータを、当該画像処理パラメータを用いて画像処理された関心領域の画像に重畳するアノテーション表示の機能も有している。
【００３０】
次に、コンソール１５（図１および図２を参照）やモニタ１６（図１および図２を参照）による画像処理パラメータ設定画面の機能について、図３〜図１３を参照して説明する。図３，図４は、画像処理パラメータ設定画面の表示態様であり、図５〜図７は、詳細画像処理画面の表示態様であり、図８は、マルチビュー画面の表示態様であり、図９，図１０は、マルチビュー画面のマルチビューエリアに表示された画像を拡大表示する態様であり、図１１は、図８とは別のマルチビュー画面の表示態様であり、図１２は、図８，図１１とは別のマルチビュー画面の表示態様であり、図１３は、複数の画像処理パラメータの値の範囲を設定する場合の態様である。
【００３１】
図３に示すように、画像処理パラメータ設定画面Ｐを起動する。なお、画像処理パラメータ設定画面Ｐよりも事前に、一連の撮影条件や患者情報などの検査情報を登録する検査情報登録画面を起動して、これらの検査情報である撮影プロトコルを編集する撮影プロトコル編集画面を起動して、撮影を実施するための撮影実施画面を起動する。画像処理パラメータ設定画面Ｐよりも事前に起動する、これらの画面については説明を省略する。
【００３２】
図３に示すように、画像処理パラメータ設定画面Ｐの右側には、例えば、撮影済みプロトコルのリストを表示するプロトコルリスト表示エリアＰ１が表示される。画像処理パラメータ設定画面Ｐの左より中央には、選択された撮影済みプロトコルでのＸ線画像を表示する画像表示エリアＰ２が表示される。また、画像処理パラメータ設定画面Ｐの下側には、画像編集機能一覧として、複数（例えば７つ）の編集ボタンＰ３が表示される。
【００３３】
ここでの「プロトコル」とは、一連の設定項目をまとめてプリセットされた手順について定めたものである。したがって、「撮影プロトコル」とは、一連のＸ線撮影における撮影の順序を決定したものである。そして、プロトコルリスト表示エリアＰ１の撮影済みプロトコルのリストから１つをタッチして選択する。ここでの「タッチ」とは、画面に表示された部分を指で軽く押すことである。
【００３４】
選択された撮影済みプロトコルでのＸ線画像が画像表示エリアＰ２に表示される。例えば、図３では「胸部  正面（Ｐ→Ａ）」の撮影済みプロトコルをタッチすると、被検体の胸部を正面に、Ｘ線を背部(Posterior)から腹部(Antero)に向けて照射して撮影された胸部正面のＸ線画像が画像表示エリアＰ２に表示される。撮影済みプロトコルには、Ｘ線条件（管電圧や管電流やＸ線の照射時間など）が併記される。
【００３５】
編集ボタンＰ３のうち「ROIボタン」（図３，図４では「ROI」で表記されたボタン）をタッチする。そして、ユーザが見たい特定の部分を関心領域として設定するために、関心領域における矩形の四隅のうち対角の２点でドラッグする。ここでの「ドラッグ」とは、タッチパネルモニタに触れたまま、指をスライドさせて放すことである。ドラッグすることにより、図４に示すように色付き（例えば緑色）の矩形の枠Ｐ４が、画像表示エリアＰ２に表示される。この枠Ｐ４に囲まれた領域が関心領域として設定される。図４では、関心領域は矩形であったが、閉じられた図形であれば、関心領域は矩形以外の形状であってもよい。
【００３６】
続いて、編集ボタンＰ３のうち「画像調整ボタン」（図３，図４では人型で表記されたボタン）をタッチする。すると、図５に示すように画像処理パラメータ設定画面は詳細画像処理画面Ｐに切り替わる。具体的には、詳細画像処理画面Ｐの右側には、例えば、各種の画像処理パラメータを入力するための画像処理パラメータ入力エリアＰ５が表示される。詳細画像処理画面Ｐの左より中央には、図４で設定された関心領域でのＸ線画像を表示する画像表示エリアＰ６が表示される。画像処理パラメータ入力エリアＰ５の下側には、入力された画像処理パラメータを確定するか否かを決定するボタンとして、複数（例えば３つ）のボタンＰ７が表示される。
【００３７】
図５では、画像処理パラメータ入力エリアＰ５の上から順に、階調処理パネルＰ５Ａ，マルチ周波数処理パネルＰ５Ｂ，圧縮処理パネルＰ５Ｃが表示される。各画像処理パラメータの横には「ヘルプボタン」（図５では「？」で表記されたボタン）がそれぞれ設けられており、「ヘルプボタン」をタッチすると画像処理パラメータの説明が表示される。
【００３８】
階調処理パネルＰ５Ａの「ＬＵＴ」はガンマテーブル（入力された画素値と出力する輝度値とを対応付けたテーブル）であって、ＬＵＴ（ガンマテーブル）の一覧から階調曲線（もしくは階調直線）の形状を選択する。例えば、「Ｌ」は階調に関する直線であって、「Ｓ１」〜「Ｓ９」は階調に関する各種のＳ字曲線である。（）内は現在の設定値である。後述する階調処理パネルＰ５Ａの「ＣＯＮＴ」や「ＢＲＩＧＨＴ」や「ＢＡＳＥ」と同様にスライドバーを設け、複数の階調曲線（もしくは階調直線）を入力するようにしてもよい。
【００３９】
階調処理パネルＰ５Ａの「ＣＯＮＴ」はコントラスト値であって、コントラスト値の範囲を設定するスライドバーが設けられている。階調処理パネルＰ５Ａの「ＢＲＩＧＨＴ」は輝度値であって、輝度値の範囲を設定するスライドバー（範囲設定部）が設けられている。階調処理パネルＰ５Ａの「ＢＡＳＥ」はコントラスト中心における階調曲線の傾きであって、傾きの範囲を設定するスライドバーが設けられている。図５の表示態様では、「ＣＯＮＴ」に関して「１７」〜「３６」のコントラスト値を入力するようにスライドバーの範囲を「１７」〜「３６」の範囲にスライド設定し、「ＢＲＩＧＨＴ」に関して輝度値を「３」に固定して設定し、「ＢＡＳＥ」に関して傾きを「６４」に固定して設定している。
【００４０】
階調処理パネルＰ５Ａの「Ｅ．Ｅ．」は鮮鋭化処理で使用する空間フィルタである。例えば、「Ｎｏｎｅ」は鮮鋭化処理での空間フィルタを使用しないことを意味する。また、階調処理パネルＰ５Ａの「ＬＵＴ」の右隣にあるボタンはネガポジボタンである。ネガポジボタンをタッチすると階調を反転する。（）内は現在の設定値である。
【００４１】
マルチ周波数処理パネルＰ５Ｂの「ＩＰＥ強調処理」をＯＮにするとＩＰＥ強調処理が有効になる。マルチ周波数処理パネルＰ５Ｂの「ＩＥＢ」は強調する周波数の範囲を選択する。例えば、Ｌ＜Ｍ１＜Ｍ２＜Ｍ３＜Ｍ４＜Ｈの順番で、Ｌに近づくほど低周波から強調される。（）内は現在の設定値である。上述した階調処理パネルＰ５Ａの「ＣＯＮＴ」や「ＢＲＩＧＨＴ」や「ＢＡＳＥ」と同様にスライドバーを設け、強調する周波数の複数の範囲を入力するようにしてもよい。
【００４２】
マルチ周波数処理パネルＰ５Ｂの「ＩＥＴ」は、粒状性または鮮鋭度を重視した周波数処理を行う。例えば、Ｇ１＞Ｇ２＞Ｇ３＞Ｇ４＞Ｇ５＞Ｇ６の順で粒状性を重視した周波数処理を行い、Ｓ１＞Ｓ２＞Ｓ３＞Ｓ４の順で鮮鋭度を重視した周波数処理を行う。（）内は現在の設定値である。上述した階調処理パネルＰ５Ａの「ＣＯＮＴ」や「ＢＲＩＧＨＴ」や「ＢＡＳＥ」と同様にスライドバーを設け、粒状性または鮮鋭度を重視した周波数処理において複数の周波数を入力するようにしてもよい。
【００４３】
マルチ周波数処理パネルＰ５Ｂの「ＩＥＥ」は適切な強調度になるように設定される値である。例えば、「０」〜「１６００」の間で設定され、値が大きいほど強調度が大きくなり、「０」ではマルチ周波数処理は行われない。「▼」ボタンをタッチする度に現在の設定値から１ずつ強調度が低く設定され、「▲」ボタンをタッチする度に現在の設定値から１ずつ強調度が高く設定される。（）内は現在の設定値である。上述した階調処理パネルＰ５Ａの「ＣＯＮＴ」や「ＢＲＩＧＨＴ」や「ＢＡＳＥ」と同様にスライドバーを設け、複数の強調度を入力するようにしてもよい。
【００４４】
圧縮処理パネルＰ５Ｃの「ＩＰＥ圧縮処理」をＯＮにするとＩＰＥ圧縮処理が有効になる。圧縮処理パネルＰ５Ｃの「ＤＣＢ」は強調する周波数の範囲を選択する。例えば、Ｌ＜Ｌ１＜Ｌ２＜Ｌ３＜Ｍ１＜Ｍ２＜Ｈの順番で、Ｌに近づくほど低周波から強調される。（）内は現在の設定値である。上述した階調処理パネルＰ５Ａの「ＣＯＮＴ」や「ＢＲＩＧＨＴ」や「ＢＡＳＥ」と同様にスライドバーを設け、強調する周波数の複数の範囲を入力するようにしてもよい。
【００４５】
圧縮処理パネルＰ５Ｃの「ＤＣＴ」は強調する濃度の範囲を選択する。例えば、低濃度圧縮タイプでは、Ｌ４＞Ｌ３＞Ｌ２＞Ｌ１の順番で、Ｌ４に近づくほど高濃度から強調され、Ｌ１に近づくほど低濃度から強調される。高濃度圧縮タイプでは、Ｈ４＞Ｈ３＞Ｈ２＞Ｈ１の順番で、Ｈ４に近づくほど高濃度から強調され、Ｈ１に近づくほど低濃度から強調される。また、低濃度＋高濃度圧縮タイプのように、Ｍ１１，Ｍ１２，Ｍ１３，Ｍ１４，Ｍ２２，Ｍ２３，Ｍ２４，Ｍ３３，Ｍ３４，Ｍ４４で定義された濃度の範囲から選択される（例えば、ＭＩＪ：ＬＩとＨＪとを組み合わせたタイプ、Ｉ＝１，２，３，４、Ｊ＝１，２，３，４）。（）内は現在の設定値である。上述した階調処理パネルＰ５Ａの「ＣＯＮＴ」や「ＢＲＩＧＨＴ」や「ＢＡＳＥ」と同様にスライドバーを設け、強調する濃度の複数の範囲を入力するようにしてもよい。
【００４６】
圧縮処理パネルＰ５Ｃの「ＤＣＥ」は適切な強調度になるように設定される値である。例えば、例えば、「０」〜「２００」の間で設定され、強調度は低濃度側，高濃度側それぞれで設定可能である。また、値が大きいほど強調度が大きくなり、「０」ではダイナミックレンジ圧縮処理は行われない。「▼」ボタンをタッチする度に現在の設定値から１ずつ強調度が低く設定され、「▲」ボタンをタッチする度に現在の設定値から１ずつ強調度が高く設定される。（）内は現在の設定値である。上述した階調処理パネルＰ５Ａの「ＣＯＮＴ」や「ＢＲＩＧＨＴ」や「ＢＡＳＥ」と同様にスライドバーを設け、複数の強調度を入力するようにしてもよい。
【００４７】
例えば、ボタンＰ７は、左側から順に配置された「ＯＫボタン」（図５では「ＯＫ」で表記されたボタン），「キャンセルボタン」（図５では「キャンセル」で表記されたボタン），「適用ボタン」（図５では「適用」で表記されたボタン）からなる。「ＯＫボタン」をタッチすると変更した内容を確定する。「キャンセルボタン」をタッチすると何も行わずに詳細画像処理画面Ｐを閉じる。「適用ボタン」をタッチすると変更した内容を画像に適用する。つまり、入力された複数の画像処理パラメータを用いて、設定された関心領域のみに対して画像処理をそれぞれ行って、画像処理された関心領域の各画像を表示するためには、「ＯＫボタン」をタッチした後に「適用ボタン」をタッチする。
【００４８】
なお、図５の表示態様は一例であって、画像処理パラメータの種類に応じて適宜に変更される。例えば、図６に示すように、入力変更したい画像処理パラメータの種類をリスト化したドロップダウンリストＰ１１と、画像処理パラメータの値の範囲を設定する入力画面Ｐ１２と、ＯＫボタンＰ１３（図６では「ＯＫ」で表記されたボタン）とキャンセルボタン（図６では「キャンセル」で表記されたボタン）Ｐ１４とを表示する。そして、ドロップダウンリストＰ１１をタッチして、一覧から入力変更したい種類の画像処理パラメータを選択する。選択された種類の画像処理パラメータ値の範囲を入力画面Ｐ１２に入力する。その際には、図５に示す階調処理パネルＰ５Ａの「ＣＯＮＴ」や「ＢＲＩＧＨＴ」や「ＢＡＳＥ」と同様にスライドバーを設け、設定された範囲に含まれる値を有する複数の画像処理パラメータを入力してもよい。あるいはスクリーンキーボードを表示して、スクリーンキーボードから画像処理パラメータ値の範囲を入力画面Ｐ１２に直接に入力してもよい。そして、入力された複数の画像処理パラメータを画像に適用する場合には、ＯＫボタンＰ１３をタッチする。
【００４９】
図５や図６以外の表示態様としては、例えば、図７に示す表示態様であってもよい。図７に示すように、入力変更したい画像処理パラメータの種類を複数選択するチェックボックスＰ２１と、ＯＫボタンＰ２２（図７では「ＯＫ」で表記されたボタン）とを表示する。そして、チェックボックスＰ２１中の、入力変更したい種類の画像処理パラメータの項目をタッチしてチェックを入れることで、チェックが入った項目に該当する各種類の画像処理パラメータを、入力変更したい種類の画像処理パラメータとして複数選択する。そして、選択された種類の画像処理パラメータで確定である場合には、ＯＫボタンＰ２２をタッチする。なお、画像処理パラメータの値を設定する場合については、図５や図６と同様の手法で行えばよいので、その説明を省略する。
【００５０】
図５〜図７のいずれかによって複数の画像処理パラメータが入力されたら、図８に示すようにマルチビュー画面Ｐに切り替わる。このとき、入力された画像処理パラメータを、当該画像処理パラメータを用いて画像処理された関心領域の画像に重畳するアノテーション表示を行う。具体的には、マルチビュー画面Ｐの右側には、例えば、アノテーション表示設定エリアＰ３１が表示される。マルチビュー画面Ｐの左より中央には、図５〜図７のいずれかによって入力された画像処理パラメータを用いて画像処理された関心領域の各画像を一斉に並列表示するマルチビューエリアＰ３２が表示される。
【００５１】
アノテーション表示設定エリアＰ３１のうち「アノテーション表示読み出しボタン」（図８では「アノテーション表示読み出し」で表記されたボタン）Ｐ３３をタッチする。すると、画像処理された各々の画像に対して、そのときに用いられた画像処理パラメータの情報が付加情報として重畳表示される（図８〜図１０の「画像処理パラメータの情報」Ｐ３４を参照）。なお、重畳表示する「画像処理パラメータの情報」Ｐ３４の配置位置については、特に限定されない。画像の撮影の邪魔にならない端部に「画像処理パラメータの情報」を自動的に配置してもよいし、「画像処理パラメータの情報」の配置位置をユーザが自在に変更するようにしてもよい。マルチビューエリアＰ３２では、画像処理パラメータと同数の画像処理された関心領域の画像を画面上に並べて表示する。画像処理パラメータの数が多くて、画像処理パラメータと同数の画像処理された関心領域の画像がマルチビューエリアＰ３２に収まりきれない場合には、図８に示すスクロールバーＰ３５を上下に操作する。
【００５２】
なお、マルチビューエリアＰ３２に表示された各画像はサイズが小さい。したがって、重畳表示される「画像処理パラメータの情報」もサイズが小さく見辛い。そこで、図９に示すようにタッチされた画像を拡大表示する別ウィンドウＰ３６を表示させてもよい。あるいは、図１０に示すようにタッチされた画像を拡大表示させてもよい（図１０の拡大表示画面Ｐ３７を参照）。図９，図１０のいずれの場合においても、「画像処理パラメータの情報」Ｐ３４も拡大表示することができる。もちろん、「画像処理パラメータの情報」Ｐ３４は、拡大表示前と同じフォントの大きさでもよいし、フォントの大きさを自在に変更してもよい。
【００５３】
また、画像処理パラメータで画像処理された関心領域の各画像を画面上に対比可能に並べて表示するのに、図８に示すマルチビュー画面Ｐによって画像処理パラメータと同数の画像処理された関心領域の画像を画面上に並べて表示したが、図８に示す表示態様に限定されない。例えば、図１１（ａ）に示すように画像処理パラメータで画像処理された関心領域の２つの画像を画面上に対比可能に並べて表示する。図１１（ｂ）に示すように最適だと判断した関心領域の画像のみを残して表示する。そして、図１１（ｃ）に示すように未だに表示されていない関心領域の画像と当該最適だと判断した関心領域の画像とを画面上に対比可能に並べて表示する。このような一連の表示制御を繰り返し行ってもよい。
【００５４】
また、画像処理パラメータで画像処理された関心領域の各画像を画面上に対比可能に並べて表示するのに、図８の表示態様のように表示し、図１１の表示態様のように表示したが、図８や図１１の表示態様に示す表示態様に限定されない。例えば、チェックボックスＰ２１（図７を参照）中の、入力変更したい２種類の画像処理パラメータの項目をタッチしてチェックを入れることで、チェックが入った項目に該当する各種類の画像処理パラメータを、入力変更したい種類の画像処理パラメータとして２つ選択する。なお、画像処理パラメータの種類を２つ選択する手段は、図７に示すチェックボックスＰ２１に限定されない。そして、選択された種類のうち、図１２に示すように、一方の画像処理パラメータ（図１２では「ＣＯＮＴ」）で画像処理された関心領域の各画像を画面上に横に並べて表示し、他方の画像処理パラメータ（図１２では「ＢＲＩＧＨＴ」）で画像処理された関心領域の各画像を画面上に縦に並べて表示することで、選択された種類の画像処理パラメータで画像処理された関心領域の各画像を画面上に２次元状に並べて表示する。
【００５５】
図８や図１１や図１２の表示態様のいずれかによって、ユーザが最適なパラメータを決定する。例えば、任意の画像をタッチすることで、当該画像の画像処理に用いられた画像処理パラメータを、最適だと判断した画像処理パラメータとして指定する。次に、指定された最適な画像処理パラメータを用いて、画像全体（全画像領域）に対して画像処理を行う。そして、当該最適な画像処理パラメータで画像処理された画像全体（全画像領域）の画像を画面上に表示する。
【００５６】
ここで、複数の画像処理パラメータの値の範囲を設定する場合の態様について説明する。例えば、図５に示すように画像処理パラメータがコントラスト値（図５の「ＣＯＮＴ」を参照）であって、互いに隣接する２つの画像処理パラメータの値のレンジ幅が固定（例えばレンジ幅が「１」に固定）の場合には、起点と終点とを設定すれば、画像処理パラメータの値の範囲が自ずと設定される。しかし、ユーザがレンジ幅を個々に自在に設定変更したい場合がある。その場合には、図１３に示すように、レンジ幅を設定するレンジ幅設定画面Ｐ４１（レンジ幅設定部）、起点となる画像処理パラメータの値を設定する起点設定画面Ｐ４２（起点設定部）、画像処理パラメータの個数を設定する個数設定画面Ｐ４３（個数設定部）を表示する。
【００５７】
レンジ幅をｒとし、起点となる画像処理パラメータの値をａ１とし、画像処理パラメータの個数をｎ（ｎは２以上の自然数）とし、起点となる値ａ１から昇順または降順に個々の画像処理パラメータの値をａ１，ａ２，…ａｎ-１，ａｎとする。昇順時にはａｎ＝ａ１＋（ｎ−１）×ｒを満たし，降順時にはａｎ＝ａ１−（ｎ−１）×ｒを満たす。そして、図１３に示す画面Ｐ４１，Ｐ４２，Ｐ４３にて、個数ｎ，レンジ幅ｒおよび起点となる値ａ１を設定することで、ａ１，ａ２，…ａｎ-１，ａｎの値を有する個数ｎの画像処理パラメータを入力する。
【００５８】
本実施例に係るＸ線撮影装置によれば、複数の画像処理パラメータを入力するパラメータ入力手段（本実施例ではコンソール１５などで構成されたタッチパネルモニタ）の他に、Ｘ線画像上において関心領域を設定する関心領域設定手段（本実施例ではコンソール１５などで構成されたタッチパネルモニタ）を備える。そして、入力された複数の画像処理パラメータを用いて、設定された関心領域のみに対して画像処理をそれぞれ行う第１画像処理手段（本実施例では演算部２５）と、当該第１画像処理手段（演算部２５）による画像処理パラメータで画像処理された関心領域の各画像を画面上に対比可能に並べて表示する第１表示制御手段（本実施例では演算部２５）とを備える。さらに、最適だと判断した画像処理パラメータを指定するパラメータ指定手段（本実施例ではコンソール１５などで構成されたタッチパネルモニタ）と、指定された最適な画像処理パラメータを用いて、全画像領域に対して画像処理を行う第２画像処理手段（本実施例では演算部２５）と、当該第２画像処理手段（演算部２５）による画像処理パラメータで画像処理された全画像領域の画像を画面上に表示する第２表示制御手段（本実施例では演算部２５）とを備える。画像全体（全画像領域）の画像処理と比較すると、設定された関心領域のみに対する画像処理では、処理時間が低減する。それに伴って、画像全体（全画像領域）の画像処理と比較すると、設定された関心領域のみに対する画像処理では、画像処理後の並列画像表示までの時間も低減する。したがって、ユーザが見たい特定の部分を関心領域(ROI: region of interest)として設定することで、画像処理の高速化を行い、画像処理後の並列画像表示を迅速に行う。その結果、パラメータ指定手段（タッチパネルモニタ）による最適なパラメータの決定が容易になって、最適な画像処理パラメータを用いて、全画像領域に対して画像処理された画像を迅速に表示することができる。
【００５９】
第１画像処理手段（演算部２５）による画像処理パラメータで画像処理された関心領域の各画像を画面上に対比可能に並べて表示する一例として、上述した図８に示す表示態様（マルチビュー画面）がある。第１表示制御手段（演算部２５）は、画像処理パラメータと同数の画像処理された関心領域の画像を画面上に並べて表示する。図８に示す表示態様の場合には、画像処理パラメータと同数の画像処理された関心領域の画像を画面上に並べて表示するので、１つの画面上で関心領域の画像を一覧して比較することができる。
【００６０】
なお、上述したように図８に示す表示態様の場合には、表示された各画像はサイズが小さい。そこで、第１表示制御手段（演算部２５）は、画像処理パラメータと同数の画像処理された関心領域の画像のうち、指定された画像（本実施例の場合にはタッチされた画像）を拡大表示するのが好ましい。拡大表示の態様としては特に限定されない。例えば、上述した図９に示すように、指定された画像を拡大表示する別ウィンドウＰ３６を表示させてもよい。あるいは、上述した図１０に示すように、指定された画像を拡大表示させてもよい。
【００６１】
第１画像処理手段（演算部２５）による画像処理パラメータで画像処理された関心領域の各画像を画面上に対比可能に並べて表示する他の一例としては、上述した図１１に示す表示態様でもよい。上述したように図８に示す表示態様の場合には、表示された各画像はサイズが小さい。そこで、第１表示制御手段（演算部２５）は、図１１（ａ）に示すように画像処理パラメータで画像処理された関心領域の２つの画像を画面上に対比可能に並べて表示する。図１１（ｂ）に示すように最適だと判断した関心領域の画像のみを残して表示する。そして、図１１（ｃ）に示すように未だに表示されていない関心領域の画像と当該最適だと判断した関心領域の画像とを画面上に対比可能に並べて表示する。このような一連の表示制御を繰り返し行う。図１１に示す表示態様の場合には、画面上に表示される画像は２つのみであるので、その分だけサイズを大きくすることができる。そして、上述の一連の表示制御を繰り返し行うことで、最終的に表示される画像が、最適な画像処理パラメータで画像処理された画像となる。
【００６２】
第１画像処理手段（演算部２５）による画像処理パラメータで画像処理された関心領域の各画像を画面上に対比可能に並べて表示する、さらなる他の一例としては、上述した図１２に示す表示態様でもよい。画像処理パラメータの種類を２つ選択する種類選択手段（本実施例ではコンソール１５などで構成されたタッチパネルモニタ）を備える。そして、第１表示制御手段（演算部２５）は、選択された種類のうち、図１２に示すように、一方の画像処理パラメータで画像処理された関心領域の各画像を画面上に横に並べて表示し、他方の画像処理パラメータで画像処理された関心領域の各画像を画面上に縦に並べて表示することで、選択された種類の画像処理パラメータで画像処理された関心領域の各画像を画面上に２次元状に並べて表示する。図１２に示す表示態様の場合には、選択された種類の画像処理パラメータで画像処理された関心領域の各画像を画面上に２次元状に並べて表示するので、２つの種類の画像処理パラメータの組み合わせから、最適な組み合わせとなる画像処理パラメータを、１つの画面上で一覧して決定することができる。
【００６３】
パラメータ入力手段（タッチパネルモニタ）の一例は、複数の画像処理パラメータの値の範囲を設定する範囲設定部（図５ではスライドバー）を備える構成である。そして、当該範囲を設定することで、設定された範囲に含まれる値を有する複数の画像処理パラメータを入力する。
【００６４】
また、パラメータ入力手段（タッチパネルモニタ）の他の一例は、互いに隣接する２つの画像処理パラメータの値のレンジ幅をｒとしたときに、レンジ幅ｒを設定するレンジ幅設定部（図１３ではレンジ幅設定画面Ｐ４１）と、起点となる画像処理パラメータの値をａ１としたときに、起点となる値ａ１を設定する起点設定部（図１３では起点設定画面Ｐ４２）と、画像処理パラメータの個数をｎ（ｎは２以上の自然数）としたときに、個数ｎを設定する個数設定部（図１３では個数設定画面Ｐ４３）とを備える構成である。起点となる値ａ１から昇順または降順に個々の画像処理パラメータの値をａ１，ａ２，…ａｎ-１，ａｎとしたときに、昇順時にはａｎ＝ａ１＋（ｎ−１）×ｒを満たし，降順時にはａｎ＝ａ１−（ｎ−１）×ｒを満たすとする。そして、個数ｎ，レンジ幅ｒおよび起点となる値ａ１を設定することで、ａ１，ａ２，…ａｎ-１，ａｎの値を有する個数ｎの画像処理パラメータを入力する。
【００６５】
また、入力された画像処理パラメータを、第１画像処理手段（演算部２５）による当該画像処理パラメータを用いて画像処理された関心領域の画像に重畳する重畳手段（本実施例では演算部２５）を備えるのが好ましい。重畳表示（アノテーション表示）することにより、表示された関心領域の画像の画像処理に用いられた画像処理パラメータを把握することができる。
【００６６】
本発明は、上記実施形態に限られることはなく、下記のように変形実施することができる。
【００６７】
（１）上述した実施例では、Ｘ線撮影装置として移動型Ｘ線撮影装置（回診車）を例に採って説明したが、必ずしも回診車である必要はない。据え付け型のＸ線撮影装置に適用してもよい。また、Ｘ線撮影装置であれば、断層撮影を行う装置に適用してもよい。断層撮影を行う装置に適用する場合には、断面画像の位置や、フィルタードバックプロジェクション(FBP: Filtered Back Projection)による再構成に用いられるフィルタ係数を、画像処理パラメータとしてもよい。
【００６８】
（２）上述した実施例では、入力部（実施例では図１や図２に示すコンソール１５）およびモニタ１６（図１や図２を参照）がタッチパネルモニタとして一体で構成されていたが、入力部およびモニタ１６を別々の構成としてもよい。この場合には、入力部は、マウスやキーボードやジョイスティックやトラックボールなどに代表されるポインティングデバイスで構成されている。
【００６９】
（３）上述した実施例では、入力された画像処理パラメータを、当該画像処理パラメータを用いて画像処理された関心領域の画像に重畳表示するアノテーション表示の機能を有したが、必ずしもアノテーション表示の機能を有する必要はない。また、入力された画像処理パラメータの替わりに、ユーザが任意のテキストを入力して、入力されたテキストを関心領域の画像に重畳表示（アノテーション表示）してもよい。また、指定された最適な画像処理パラメータを用いて画像処理された画像全体（全画像領域）の画像に当該最適な画像処理パラメータを重畳表示（アノテーション表示）してもよい。
【符号の説明】
【００７０】
１  …  移動型Ｘ線撮影装置
１５  …  コンソール
２５  …  演算部
Ｐ２  …  画像表示エリア
Ｐ５  …  画像処理パラメータ入力エリア
Ｐ５Ａ  …  階調処理パネル
Ｐ５Ｂ  …  マルチ周波数処理パネル
Ｐ５Ｃ  …  圧縮処理パネル
Ｐ３１  …  アノテーション表示設定エリア
Ｐ３２  …  マルチビューエリア
Ｐ３６  …  （画像を拡大表示する）別ウィンドウ
Ｐ３７  …  拡大表示画面
Ｐ４１  …  レンジ幅設定画面
Ｐ４２  …  起点設定画面
Ｐ４３  …  個数設定画面
ａ１  …  起点となる画像処理パラメータの値
ａ１，ａ２，…ａｎ-１，ａｎ  …  画像処理パラメータの値
ｒ  …  レンジ幅
ｎ  …  （画像処理パラメータの）個数
【図１】
2018186889.tif 000003
【図２】
2018186889.tif 000004
【図３】
2018186889.tif 000005
【図４】
2018186889.tif 000006
【図５】
2018186889.tif 000007
【図６】
2018186889.tif 000008
【図７】
2018186889.tif 000009
【図８】
2018186889.tif 000010
【図９】
2018186889.tif 000011
【図１０】
2018186889.tif 000012
【図１１】
2018186889.tif 000013
【図１２】
2018186889.tif 000014
【図１３】
2018186889.tif 000015